(57)【要約】【課題】簡単な構成でグレゴリオ暦の日付から日数を計算できる日数計算カードセットを提供する。【解決手段】日数計算カードセット１は、月カード２、年カード３及び日カード４を各々複数枚備える。カード表面の月数値、年数値、日数値の合計で日付を表し、裏面の数の合計で日数を計算できるようにした。【選択図】図１
0003218505.tif 000002
【実用新案登録請求の範囲】
【請求項１】
複数枚の月カードと、
複数枚の年カードと、
複数枚の日カードと、を備え、
前記複数枚の月カードは、
表面には「１」の月数値が、裏面には「０」の数字が記された１枚の１月カードと、
表面には「２」の月数値が、裏面には「３１」の数字が記された１枚の２月カードと、
表面には「３」の月数値が、裏面には「−３０６」の数字が記された１枚の３月カードと、
表面には「４」の月数値が、裏面には「−２７５」の数字が記された１枚の４月カードと、
表面には「５」の月数値が、裏面には「−２４５」の数字が記された１枚の５月カードと、
表面には「６」の月数値が、裏面には「−２１４」の数字が記された１枚の６月カードと、
表面には「７」の月数値が、裏面には「−１８４」の数字が記された１枚の７月カードと、
表面には「８」の月数値が、裏面には「−１５３」の数字が記された１枚の８月カードと、
表面には「９」の月数値が、裏面には「−１２２」の数字が記された１枚の９月カードと、
表面には「１０」の月数値が、裏面には「−９２」の数字が記された１枚の１０月カードと、
表面には「１１」の月数値が、裏面には「−６１」の数字が記された１枚の１１月カードと、
表面には「１２」の月数値が、裏面には「−３１」の数字が記された１枚の１２月カードと、
を含み、
前記複数枚の年カードは、
表面には「４００」の年数値が、裏面には「１４６０９７」の数字が記された複数枚の４００年カードと、
表面には「１００」の年数値が、裏面には「３６５２４」の数字が記された複数枚の１００年カードと、
表面には「４」の年数値が、裏面には「１４６１」の数字が記された複数枚の４年カードと、
表面には「１」の年数値が、裏面には「３６５」の数字が記された複数枚の１年カードと、
を含み、
前記複数枚の日カードは、
表面には「１」の日数値が、裏面には「１」の数字が記された複数枚の１日カードを含むことを特徴とする日数計算カードセット。
【請求項２】
前記複数枚の年カードは、
表面には「２０００」の年数値が、裏面には「７３０４８５」の数字が記された複数枚の２０００年カードと、
表面には「２０」の年数値が、裏面には「７３０５」の数字が記された複数枚の２０年カードと、
を更に含み、
前記複数枚の日カードは、
表面には「７」の日数値が、裏面には「７」の数字が記された複数枚の７日カードを更に含むことを特徴とする請求項１に記載の日数計算カードセット。
【請求項３】
複数枚の月カードと、
複数枚の年カードと、
複数枚の日カードと、を備え、
前記複数枚の月カードは、
表面には「１」の月数値が、裏面には「０」の数字が記された１枚の１月カードと、
表面には「２」の月数値が、裏面には「３１」の数字が記された１枚の２月カードと、
表面には「３」の月数値が、裏面には「−３０６」の数字が記された１枚の３月カードと、
表面には「４」の月数値が、裏面には「−２７５」の数字が記された１枚の４月カードと、
表面には「５」の月数値が、裏面には「−２４５」の数字が記された１枚の５月カードと、
表面には「６」の月数値が、裏面には「−２１４」の数字が記された１枚の６月カードと、
表面には「７」の月数値が、裏面には「−１８４」の数字が記された１枚の７月カードと、
表面には「８」の月数値が、裏面には「−１５３」の数字が記された１枚の８月カードと、
表面には「９」の月数値が、裏面には「−１２２」の数字が記された１枚の９月カードと、
表面には「１０」の月数値が、裏面には「−９２」の数字が記された１枚の１０月カードと、
表面には「１１」の月数値が、裏面には「−６１」の数字が記された１枚の１１月カードと、
表面には「１２」の月数値が、裏面には「−３１」の数字が記された１枚の１２月カードと、
を含み、
前記複数枚の年カードは、
表面には「２０００」の年数値が、裏面には「７３０４８５」の数字が記された４枚の２０００年カードと、
表面には「４００」の年数値が、裏面には「１４６０９７」の数字が記された４枚の４００年カードと、
表面には「１００」の年数値が、裏面には「３６５２４」の数字が記された３枚の１００年カードと、
表面には「２０」の年数値が、裏面には「７３０５」の数字が記された４枚の２０年カードと、
表面には「４」の年数値が、裏面には「１４６１」の数字が記された４枚の４年カードと、
表面には「１」の年数値が、裏面には「３６５」の数字が記された３枚の１年カードと、
を含み、
前記複数枚の日カードは、
表面には「７」の日数値が、裏面には「７」の数字が記された４枚の７日カードと、
表面には「１」の日数値が、裏面には「１」の数字が記された６枚の１日カードと、
を含むことを特徴とする日数計算カードセット。
【請求項４】
各月カードの表面には月カードであることを表す第１記号が記され、各年カードの表面には年カードであることを表す第２記号が記され、各日カードの表面には日カードであることを表す第３記号が記されていることを特徴とする請求項１〜３の何れかに記載の日数計算カードセット。
【考案の詳細な説明】
【技術分野】
【０００１】
本考案は、グレゴリオ暦の日付から日数を計算できるカードセットに関する。
【背景技術】
【０００２】
カレンダー計算の分野では、曜日計算に関して、ブロックを積み上げることで１年１月１日から９９９９年１２月３１日までの日付に対して、自動的に曜日を表示するカレンダーが知られていた（特許文献１）。あるいは、曜日計算に利用できるカードセットが知られていた（非特許文献１）。
【先行技術文献】
【特許文献】
【０００３】
【特許文献１】特許第６２５０８５７号
【非特許文献】
【０００４】
【非特許文献１】実願２０１８−００２１００
【考案の概要】
【考案が解決しようとする課題】
【０００５】
カレンダー計算の分野では、曜日計算と密接な関係があるものとして日数計算がある。前記した先行技術（特許文献１あるいは非特許文献１）では簡単な構成で曜日を計算できるものの、日数計算には利用できない。そこで本考案は、簡単な構成でグレゴリオ暦の日付から日数を計算できるカードセットの提供を目的としている。
【課題を解決するための手段】
【０００６】
本考案の日数計算カードセットは、
複数枚の月カードと、
複数枚の年カードと、
複数枚の日カードと、を備え、
前記複数枚の月カードは、
表面には「１」の月数値が、裏面には「０」の数字が記された１枚の１月カードと、
表面には「２」の月数値が、裏面には「３１」の数字が記された１枚の２月カードと、
表面には「３」の月数値が、裏面には「−３０６」の数字が記された１枚の３月カードと、
表面には「４」の月数値が、裏面には「−２７５」の数字が記された１枚の４月カードと、
表面には「５」の月数値が、裏面には「−２４５」の数字が記された１枚の５月カードと、
表面には「６」の月数値が、裏面には「−２１４」の数字が記された１枚の６月カードと、
表面には「７」の月数値が、裏面には「−１８４」の数字が記された１枚の７月カードと、
表面には「８」の月数値が、裏面には「−１５３」の数字が記された１枚の８月カードと、
表面には「９」の月数値が、裏面には「−１２２」の数字が記された１枚の９月カードと、
表面には「１０」の月数値が、裏面には「−９２」の数字が記された１枚の１０月カードと、
表面には「１１」の月数値が、裏面には「−６１」の数字が記された１枚の１１月カードと、
表面には「１２」の月数値が、裏面には「−３１」の数字が記された１枚の１２月カードと、
を含み、
前記複数枚の年カードは、
表面には「４００」の年数値が、裏面には「１４６０９７」の数字が記された複数枚の４００年カードと、
表面には「１００」の年数値が、裏面には「３６５２４」の数字が記された複数枚の１００年カードと、
表面には「４」の年数値が、裏面には「１４６１」の数字が記された複数枚の４年カードと、
表面には「１」の年数値が、裏面には「３６５」の数字が記された複数枚の１年カードと、
を含み、
前記複数枚の日カードは、
表面には「１」の日数値が、裏面には「１」の数字が記された複数枚の１日カードを含むことを特徴とする。
【０００７】
本考案の日数計算カードセットは、
複数枚の月カードと、
複数枚の年カードと、
複数枚の日カードと、を備え、
前記複数枚の月カードは、
表面には「１」の月数値が、裏面には「０」の数字が記された１枚の１月カードと、
表面には「２」の月数値が、裏面には「３１」の数字が記された１枚の２月カードと、
表面には「３」の月数値が、裏面には「−３０６」の数字が記された１枚の３月カードと、
表面には「４」の月数値が、裏面には「−２７５」の数字が記された１枚の４月カードと、
表面には「５」の月数値が、裏面には「−２４５」の数字が記された１枚の５月カードと、
表面には「６」の月数値が、裏面には「−２１４」の数字が記された１枚の６月カードと、
表面には「７」の月数値が、裏面には「−１８４」の数字が記された１枚の７月カードと、
表面には「８」の月数値が、裏面には「−１５３」の数字が記された１枚の８月カードと、
表面には「９」の月数値が、裏面には「−１２２」の数字が記された１枚の９月カードと、
表面には「１０」の月数値が、裏面には「−９２」の数字が記された１枚の１０月カードと、
表面には「１１」の月数値が、裏面には「−６１」の数字が記された１枚の１１月カードと、
表面には「１２」の月数値が、裏面には「−３１」の数字が記された１枚の１２月カードと、
を含み、
前記複数枚の年カードは、
表面には「２０００」の年数値が、裏面には「７３０４８５」の数字が記された４枚の２０００年カードと、
表面には「４００」の年数値が、裏面には「１４６０９７」の数字が記された４枚の４００年カードと、
表面には「１００」の年数値が、裏面には「３６５２４」の数字が記された３枚の１００年カードと、
表面には「２０」の年数値が、裏面には「７３０５」の数字が記された４枚の２０年カードと、
表面には「４」の年数値が、裏面には「１４６１」の数字が記された４枚の４年カードと、
表面には「１」の年数値が、裏面には「３６５」の数字が記された３枚の１年カードと、
を含み、
前記複数枚の日カードは、
表面には「７」の日数値が、裏面には「７」の数字が記された４枚の７日カードと、
表面には「１」の日数値が、裏面には「１」の数字が記された６枚の１日カードと、
を含むことを特徴とする。
【考案の効果】
【０００８】
本考案の日数計算カードセットによれば、与えられた日付Ｙ年Ｍ月Ｄ日（ただしＹ、Ｍ、Ｄは１≦Ｙ≦９９９９、１≦Ｍ≦１２、１≦Ｄ≦３１である整数）に対し、月数値がＭである月カードと、Ｍ≧３のときＹ１＝Ｙ、Ｍ＜３のときＹ１＝Ｙ−１として、
Ｙ１＝４００＊ｑ１＋ｒ１、０≦ｒ１＜４００、
ｒ１＝１００＊ｑ２＋ｒ２、０≦ｒ２＜１００、
ｒ２＝４＊ｑ３＋ｒ３、０≦ｒ３＜４、
ｒ３＝１＊ｑ４＋ｒ４、０≦ｒ４＜１
（ただし、ｑ１、ｑ２、ｑ３、ｑ４、及びｒ１、ｒ２、ｒ３、ｒ４は整数）、
Ｄ＝１＊ｕ１＋ｖ１、０≦ｖ１＜１、
（ただし、ｕ１、ｖ１は整数）
を満たすｑ１、ｑ２、ｑ３、ｑ４及びｕ１について、ｑ１、ｑ２、ｑ３、ｑ４の枚数の年カード（ただしｑ１は４００年カード、ｑ２は１００年カード、ｑ３は４年カード、ｑ４は１年カードの枚数）と、ｕ１の枚数の日カード（ただしｕ１は１日カードの枚数）の裏面に記された整数を全て合計することで、日数（基準日からの経過日数）を計算できる。
【０００９】
本考案の日数計算カードセットによれば、与えられた日付Ｙ年Ｍ月Ｄ日（ただしＹ、Ｍ、Ｄは１≦Ｙ≦９９９９、１≦Ｍ≦１２、１≦Ｄ≦３１である整数）に対し、月数値がＭである月カードと、Ｍ≧３のときＹ１＝Ｙ、Ｍ＜３のときＹ１＝Ｙ−１として、
Ｙ１＝２０００＊ｑ１＋ｒ１、０≦ｒ１＜２０００、
ｒ１＝４００＊ｑ２＋ｒ２、０≦ｒ２＜４００、
ｒ２＝１００＊ｑ３＋ｒ３、０≦ｒ３＜１００、
ｒ３＝２０＊ｑ４＋ｒ４、０≦ｒ４＜２０、
ｒ４＝４＊ｑ５＋ｒ５、０≦ｒ５＜４、
ｒ５＝１＊ｑ６＋ｒ６、０≦ｒ６＜１
（ただし、ｑ１、ｑ２、・・・、ｑ６、及びｒ１、ｒ２、・・・、ｒ６は整数）、
Ｄ＝７＊ｕ１＋ｖ１、０≦ｖ１＜７、
ｖ１＝１＊ｕ２＋ｖ２、０≦ｖ２＜１
（ただし、ｕ１、ｕ２、ｖ１及びｖ２は整数）
を満たすｑ１、ｑ２、・・・、ｑ６及びｕ１、ｕ２について、ｑ１、ｑ２、・・・、ｑ６の枚数の年カード（ただしｑ１は２０００年カード、ｑ２は４００年カード、ｑ３は１００年カード、ｑ４は２０年カード、ｑ５は４年カード、ｑ６は１年カードの枚数）と、ｕ１、ｕ２の枚数の日カード（ただしｕ１は７日カード、ｕ２は１日カードの枚数）の裏面に記された整数を全て合計することで、日数（基準日からの経過日数）を計算できる。
【００１０】
このように、カードのみで日数を計算できるので、携帯持ち運びが容易であり安価に製造でき、またゲーム感覚で日数の計算を楽しむことができる。
【図面の簡単な説明】
【００１１】
【図１】本発明の第１実施形態に係る日数計算カードセットを用いて２０１８年４月１０日の日数を計算する場合を例に、複数枚のカードを表面を上にして並べた状態を示す図。
【図２】図１に示す複数枚のカードを裏返した状態を示す図。
【図３】本発明の第１実施形態に係る日数計算カードセットに含まれる各種月カードの表面を示す図。
【図４】図３に示す各種月カードの裏面を示す図。
【図５】本発明の第１実施形態に係る日数計算カードセットに含まれる各種年カードの表面を示す図。
【図６】図５に示す各種年カードの裏面を示す図。
【図７】本発明の第１実施形態に係る日数計算カードセットに含まれる各種日カードの表面を示す図。
【図８】図７に示す各種日カードの裏面を示す図。
【図９】本発明の第２実施形態に係る日数計算カードセットを用いて２００２年１０月２日の日数を計算する場合を例に、複数枚のカードを表面を上にして並べた状態を示す図。
【図１０】図９に示す複数枚のカードを裏返した状態を示す図。
【考案を実施するための形態】
【００１２】
（第１実施形態）
本考案の第１実施形態に係る日数計算カードセットについて添付図面を参照して説明する。本実施形態の日数計算カードセット１は、４４枚のカードを備え、これら４４枚のカードには、１２枚の月カード２と、２２枚の年カード３と、１０枚の日カード４と、が含まれ、図１は所定年月日が２０１８年４月１０日である場合について、表面を上にして所定のカードを並べた例を示し、図２は図１に示す所定のカードを裏返した状態を示している。
【００１３】
図３に示す様に、１２枚の月カード２には、１枚の１月カード２（１）と、１枚の２月カード２（２）と、１枚の３月カード２（３）と、１枚の４月カード２（４）と、１枚の５月カード２（５）と、１枚の６月カード２（６）と、１枚の７月カード２（７）と、１枚の８月カード２（８）と、１枚の９月カード２（９）と、１枚の１０月カード２（１０）と、１枚の１１月カード２（１１）と、１枚の１２月カード２（１２）と、が含まれ、各月カード２の表面には月数値が記され、図４に示す様に各月カード２の裏面には整数が記されている。
より具体的に、
１月カード２（１）の表面には「１」の月数値が記され、裏面には「０」の数字が記されている。
２月カード２（２）の表面には「２」の月数値が記され、裏面には「３１」の数字が記されている。
３月カード２（３）の表面には「３」の月数値が記され、裏面には「−３０６」の数字が記されている。
４月カード２（４）の表面には「４」の月数値が記され、裏面には「−２７５」の数字が記されている。
５月カード２（５）の表面には「５」の月数値が記され、裏面には「−２４５」の数字が記されている。
６月カード２（６）の表面には「６」の月数値が記され、裏面には「−２１４」の数字が記されている。
７月カード２（７）の表面には「７」の月数値が記され、裏面には「−１８４」の数字が記されている。
８月カード２（８）の表面には「８」の月数値が記され、裏面には「−１５３」の数字が記されている。
９月カード２（９）の表面には「９」の月数値が記され、裏面には「−１２２」の数字が記されている。
１０月カード２（１０）の表面には「１０」の月数値が記され、裏面には「−９２」の数字が記されている。
１１月カード２（１１）の表面には「１１」の月数値が記され、裏面には「−６１」の数字が記されている。
１２月カード２（１２）の表面には「１２」の月数値が記され、裏面には「−３１」の数字が記されている。
また、全ての月カード２の表面には上述した月数値に加えて、当該カードが月カード２であることを示すと同時に、カードの裏表を識別するための記号（第１記号）、例えば「ＭＯＮＴＨ」の文字が付されている。
【００１４】
図５に示す様に、２２枚の年カード３には、４枚の２０００年カード３（２０００）と、４枚の４００年カード３（４００）と、３枚の１００年カード３（１００）と、４枚の２０年カード３（２０）と、４枚の４年カード３（４）と、３枚の１年カード３（１）と、が含まれ、各年カード３の表面には年数値が記され、図６に示す様に各年カード３の裏面には整数が記されている。
より具体的に、
２０００年カード３（２０００）の表面には「２０００」の年数値が記され、裏面には「７３０４８５」の数字が記されている。
４００年カード３（４００）の表面には「４００」の年数値が記され、裏面には「１４６０９７」の数字が記されている。
１００年カード３（１００）の表面には「１００」の年数値が記され、裏面には「３６５２４」の数字が記されている。
２０年カード３（２０）の表面には「２０」の年数値が記され、裏面には「７３０５」の数字が記されている。
４年カード３（４）の表面には「４」の年数値が記され、裏面には「１４６１」の数字が記されている。
１年カード３（１）の表面には「１」の年数値が記され、裏面には「３６５」の数字が記されている。
また、全ての年カード３の表面には上述した年数値に加えて、当該カードが年カード３であることを示すと同時に、カードの裏表を識別するための記号（第２記号）、例えば「ＹＥＡＲ」の文字が付されている。
【００１５】
図７に示す様に、１０枚の日カード４には、４枚の７日カード４（７）と、６枚の１日カード４（１）と、が含まれ、各日カード４の表面には日数値が記され、図８に示す様に各日カード４の裏面には整数が記されている。
より具体的に、
７日カード４（７）の表面には「７」の日数値が記され、裏面には「７」の数字が記されている。
１日カード４（１）の表面には「１」の日数値が記され、裏面には「１」の数字が記されている。
また、全ての日カード４の表面には上述した日数値に加えて、当該カードが日カード４であることを示すと同時に、カードの裏表を識別するための記号（第３記号）、例えば「ＤＡＹ」の文字が付されている。
【００１６】
次に、本実施形態の日数計算カードセット１を用いた日数計算方法について説明する。
Ｙ年Ｍ月Ｄ日がグレゴリオ暦の日付である場合に、Ｙ年Ｍ月Ｄ日の日数は、以下の手順を実行して計算することができる。ただし、Ｙ、Ｍ、Ｄは１≦Ｙ≦９９９９、１≦Ｍ≦１２、１≦Ｄ≦３１である整数とする。また、Ｍ≧３のときＹ１＝Ｙ、Ｍ＜３のときＹ１＝Ｙ−１とする。
Ｓｔｅｐ１．Ｍ月カード２（Ｍ）を置く。
Ｓｔｅｐ２．置かれた全ての年カード３の年数値の合計がＹ１を超えない限り、２０００年カード３（２０００）を置く。
Ｓｔｅｐ３．置かれた全ての年カード３の年数値の合計がＹ１を超えない限り、４００年カード３（４００）を置く。
Ｓｔｅｐ４．置かれた全ての年カード３の年数値の合計がＹ１を超えない限り、１００年カード３（１００）を置く。
Ｓｔｅｐ５．置かれた全ての年カード３の年数値の合計がＹ１を超えない限り、２０年カード３（２０）を置く。
Ｓｔｅｐ６．置かれた全ての年カード３の年数値の合計がＹ１を超えない限り、４年カード３（４）を置く。
Ｓｔｅｐ７．置かれた全ての年カード３の年数値の合計がＹ１を超えない限り、１年カード３（１）を置く。
Ｓｔｅｐ８．置かれた全ての日カード４の日数値の合計がＤを超えない限り、７日カード４（７）を置く。
Ｓｔｅｐ９．置かれた全ての日カード４の日数値の合計がＤを超えない限り、１日カード４（１）を置く。
Ｓｔｅｐ１０．置かれた全てのカードの裏面に記された数を合計する。
【００１７】
それでは具体的に、例を用いて説明する。
（例１）Ｙ＝９９９９、Ｍ＝１２、Ｄ＝３１（９９９９年１２月３１日）の場合。このとき、Ｙ１＝９９９９であり、上記の手順を実行すると以下のようになる。
Ｓｔｅｐ１．１２月カード２（１２）を置く。
Ｓｔｅｐ２．２０００年カード３（２０００）を４枚置く（置かれた全ての年カード３の年数値の合計は８０００）。
Ｓｔｅｐ３．４００年カード３（４００）を４枚置く（置かれた全ての年カード３の年数値の合計は９６００）。
Ｓｔｅｐ４．１００年カード３（１００）を３枚置く（置かれた全ての年カード３の年数値の合計は９９００）。
Ｓｔｅｐ５．２０年カード３（２０）を４枚置く（置かれた全ての年カード３の年数値の合計は９９８０）。
Ｓｔｅｐ６．４年カード３（４）を４枚置く（置かれた全ての年カード３の年数値の合計は９９９６）。
Ｓｔｅｐ７．１年カード３（１）を３枚置く（置かれた全ての年カード３の年数値の合計は９９９９）。
Ｓｔｅｐ８．７日カード４（７）を４枚置く（置かれた全ての日カード４の日数値の合計は２８）。
Ｓｔｅｐ９．１日カード４（１）を３枚置く（置かれた全ての日カード４の日数値の合計は３１）。
Ｓｔｅｐ１０．合計＝−３１＋７３０４８５＊４＋１４６０９７＊４＋３６５２４＊３＋７３０５＊４＋１４６１＊４＋３６５＊３＋７＊４＋１＊３＝３６５２０５９
【００１８】
（例２）Ｙ＝２０２０、Ｍ＝２、Ｄ＝２０（２０２０年２月２０日）の場合。このとき、Ｍ＜３であるから、Ｙ１＝Ｙ−１、即ちＹ１＝２０１９であり、上記の手順を実行すると以下のようになる。
Ｓｔｅｐ１．２月カード２（２）を置く。
Ｓｔｅｐ２．２０００年カード３（２０００）を１枚置く（置かれた全ての年カード３の年数値の合計は２０００）。
Ｓｔｅｐ３．４００年カード３（４００）を０枚置く（置かれた全ての年カード３の年数値の合計は２０００）。
Ｓｔｅｐ４．１００年カード３（１００）を０枚置く（置かれた全ての年カード３の年数値の合計は２０００）。
Ｓｔｅｐ５．２０年カード３（２０）を０枚置く（置かれた全ての年カード３の年数値の合計は２０００）。
Ｓｔｅｐ６．４年カード３（４）を４枚置く（置かれた全ての年カード３の年数値の合計は２０１６）。
Ｓｔｅｐ７．１年カード３（１）を３枚置く（置かれた全ての年カード３の年数値の合計は２０１９）。
Ｓｔｅｐ８．７日カード４（７）を２枚置く（置かれた全ての日カード４の日数値の合計は１４）。
Ｓｔｅｐ９．１日カード４（１）を６枚置く（置かれた全ての日カード４の日数値の合計は２０）。
Ｓｔｅｐ１０．合計＝３１＋７３０４８５＊１＋１４６１＊４＋３６５＊３＋７＊２＋１＊６＝７３７４７５
【００１９】
ここで、上記の手順により置かれる各種カードの枚数は、次の計算式によっても求めることができる。
Ｙ１＝２０００＊ｑ１＋ｒ１、０≦ｒ１＜２０００、
ｒ１＝４００＊ｑ２＋ｒ２、０≦ｒ２＜４００、
ｒ２＝１００＊ｑ３＋ｒ３、０≦ｒ３＜１００、
ｒ３＝２０＊ｑ４＋ｒ４、０≦ｒ４＜２０、
ｒ４＝４＊ｑ５＋ｒ５、０≦ｒ５＜４、
ｒ５＝１＊ｑ６＋ｒ６、０≦ｒ６＜１
（ただし、ｑ１、ｑ２、・・・、ｑ６、及びｒ１、ｒ２、・・・、ｒ６は整数）、
Ｄ＝７＊ｕ１＋ｖ１、０≦ｖ１＜７、
ｖ１＝１＊ｕ２＋ｖ２、０≦ｖ２＜１
（ただし、ｕ１、ｕ２、ｖ１及びｖ２は整数）
を満たすｑ１、ｑ２、・・・、ｑ６及びｕ１、ｕ２について、ｑ１は２０００年カード３（２０００）、ｑ２は４００年カード３（４００）、ｑ３は１００年カード３（１００）、ｑ４は２０年カード３（２０）、ｑ５は４年カード３（４）、ｑ６は１年カード３（１）の枚数となる。また、ｕ１は７日カード４（７）、ｕ２は１日カード４（１）の枚数となる。
例えば、前記（例１）Ｙ＝９９９９、Ｍ＝１２、Ｄ＝３１（９９９９年１２月３１日）の場合は、Ｙ１＝９９９９であるから、
９９９９＝２０００＊４＋１９９９、０≦１９９９＜２０００、
１９９９＝４００＊４＋３９９、０≦３９９＜４００、
３９９＝１００＊３＋９９、０≦９９＜１００、
９９＝２０＊４＋１９、０≦１９＜２０、
１９＝４＊４＋３、０≦３＜４、
３＝１＊３＋０、０≦０＜１  
より、ｑ１＝４、ｑ２＝４、ｑ３＝３、ｑ４＝４、ｑ５＝４、ｑ６＝３となる。よって、上記手順により２０００年カード３（２０００）は４枚、４００年カード３（４００）は４枚、１００年カード３（１００）は３枚、２０年カード３（２０）は４枚、４年カード３（４）は４枚、１年カード３（１）は３枚置かれることになる。さらに、Ｄ＝３１かつ、
３１＝７＊４＋３、０≦３＜７、
３＝１＊３＋０、０≦０＜１
より、ｕ１＝４、ｕ２＝３となる。よって、上記手順により７日カード４（７）は４枚、１日カード４（１）は３枚置かれることになる。
【００２０】
また、このようにして求められた各種カードの枚数に基づいて上記Ｓｔｅｐ１０で求められる合計は、次の式のＳとなる。
Ｓ＝ｆ（Ｍ）＋７３０４８５＊ｑ１＋１４６０９７＊ｑ２＋３６５２４＊ｑ３＋７３０５＊ｑ４＋１４６１＊ｑ５＋３６５＊ｑ６＋７＊ｕ１＋１＊ｕ２
ただし、ｆ（Ｍ）＝０（Ｍ＝１のとき）、３１（Ｍ＝２のとき）、−３０６（Ｍ＝３のとき）、−２７５（Ｍ＝４のとき）、−２４５（Ｍ＝５のとき）、−２１４（Ｍ＝６のとき）、−１８４（Ｍ＝７のとき）、−１５３（Ｍ＝８のとき）、−１２２（Ｍ＝９のとき）、−９２（Ｍ＝１０のとき）、−６１（Ｍ＝１１のとき）、−３１（Ｍ＝１２のとき）。
例えば、前記（例１）Ｙ＝９９９９、Ｍ＝１２、Ｄ＝３１（９９９９年１２月３１日）の場合は、
Ｓ＝ｆ（Ｍ）＋７３０４８５＊ｑ１＋１４６０９７＊ｑ２＋３６５２４＊ｑ３＋７３０５＊ｑ４＋１４６１＊ｑ５＋３６５＊ｑ６＋７＊ｕ１＋１＊ｕ２
＝−３１＋７３０４８５＊４＋１４６０９７＊４＋３６５２４＊３＋７３０５＊４＋１４６１＊４＋３６５＊３＋７＊４＋１＊３
＝３６５２０５９
より、上記Ｓｔｅｐ１０では３６５２０５９が求められる。
【００２１】
よく知られた日数計算法にフェアフィールド（Ｆａｉｒｆｉｅｌｄ）公式がある。本考案はフェアフィールド公式に基づく。前記Ｙ、Ｍ、Ｄ及びＹ１に対してフェアフィールド公式を適用すると、Ｍ≧３のときＭ１＝Ｍ、Ｍ＜３のときＭ１＝Ｍ＋１２として、
Ｓ１＝３６５＊Ｙ１＋［Ｙ１／４］−［Ｙ１／１００］＋［Ｙ１／４００］＋［３０６（Ｍ１＋１）／１０］＋Ｄ−４２８（ただし［］は床関数）であるＳ１を求めることができるが、フェアフィールド公式によると、このときＳ１は基準日（０年１２月３１日）からの経過日数となる。
【００２２】
本考案の第１実施形態に係る日数計算カードセット１を用いた計算により、所定の日付（グレゴリオ暦１年１月１日から９９９９年１２月３１日まで）に対して、日数を計算できることの証明（前記した計算式で求めたＳとフェアフィールド公式によるＳ１が一致する、即ちＳ＝Ｓ１であることの証明を含む）は、以下に示す日数計算に関する主張１によって得られる。
【００２３】
日数計算に関する主張１
ｙ、ｍ、ｄを１≦ｙ≦９９９９、１≦ｍ≦１２、１≦ｄ≦３１である任意の整数とする。ｙ１、ｍ１を
ｙ１＝ｙ（ｍ≧３のとき）またはｙ１＝ｙ−１（ｍ＜３のとき）
ｍ１＝ｍ（ｍ≧３のとき）またはｍ１＝ｍ＋１２（ｍ＜３のとき）
とする。ｑｉ、ｒｉ、ｉ＝１、２、・・・、６を、
ｙ１＝２０００＊ｑ１＋ｒ１、０≦ｒ１＜２０００、
ｒ１＝４００＊ｑ２＋ｒ２、０≦ｒ２＜４００、
ｒ２＝１００＊ｑ３＋ｒ３、０≦ｒ３＜１００、
ｒ３＝２０＊ｑ４＋ｒ４、０≦ｒ４＜２０、
ｒ４＝４＊ｑ５＋ｒ５、０≦ｒ５＜４、
ｒ５＝１＊ｑ６＋ｒ６、０≦ｒ６＜１
である整数とする。ｕｉ、ｖｉ、ｉ＝１、２を、
ｄ＝７＊ｕ１＋ｖ１、０≦ｖ１＜７、
ｖ１＝１＊ｕ２＋ｖ２、０≦ｖ２＜１
である整数とする。
ｆ（ｍ）＝０（ｍ＝１のとき）、３１（ｍ＝２のとき）、−３０６（ｍ＝３のとき）、−２７５（ｍ＝４のとき）、−２４５（ｍ＝５のとき）、−２１４（ｍ＝６のとき）、−１８４（ｍ＝７のとき）、−１５３（ｍ＝８のとき）、−１２２（ｍ＝９のとき）、−９２（ｍ＝１０のとき）、−６１（ｍ＝１１のとき）、−３１（ｍ＝１２のとき）と定義する。
するとこのとき、
（ｉ）０≦ｑ１＜５、 ０≦ｑ２＜５、 ０≦ｑ３＜４、 ０≦ｑ４＜５、 ０≦ｑ５＜５、 ０≦ｑ６＜４
（ｉｉ）０≦ｕ１＜５、 ０≦ｕ２＜７
（ｉｉｉ）あるｙ、ｍ、ｄによりｑ１＝４
（ｉｖ）あるｙ、ｍ、ｄによりｑ２＝４
（ｖ）あるｙ、ｍ、ｄによりｑ３＝３
（ｖｉ）あるｙ、ｍ、ｄによりｑ４＝４
（ｖｉｉ）あるｙ、ｍ、ｄによりｑ５＝４
（ｖｉｉｉ）あるｙ、ｍ、ｄによりｑ６＝３
（ｉｘ）あるｙ、ｍ、ｄによりｕ１＝４
（ｘ）あるｙ、ｍ、ｄによりｕ２＝６
（ｘｉ）ｆ（ｍ）＋７＊ｕ１＋１＊ｕ２＋７３０４８５＊ｑ１＋１４６０９７＊ｑ２＋３６５２４＊ｑ３＋７３０５＊ｑ４＋１４６１＊ｑ５＋３６５＊ｑ６＝３６５＊ｙ１＋［ｙ１／４］−［ｙ１／１００］＋［ｙ１／４００］＋［３０６（ｍ１＋１）／１０］＋ｄ−４２８
が成り立つ。
【００２４】
証明
（ｉ）〜（ｘ）の証明については、特許文献１に記載されているのでここでは省略する。
【００２５】
それでは、（ｘｉ）を証明する。始めに、補題１より
７３０４８５＊ｑ１＋１４６０９７＊ｑ２＋３６５２４＊ｑ３＋７３０５＊ｑ４＋１４６１＊ｑ５＋３６５＊ｑ６＝３６５＊ｙ１＋［ｙ１／４］−［ｙ１／１００］＋［ｙ１／４００］
が成り立つ。また、
ｆ（ｍ）＝［３０６（ｍ１＋１）／１０］−４２８
であることは容易に確認できる。
７＊ｕ１＋１＊ｕ２＝ｄ
であることを考え合わせると、
ｆ（ｍ）＋７＊ｕ１＋１＊ｕ２＋７３０４８５＊ｑ１＋１４６０９７＊ｑ２＋３６５２４＊ｑ３＋７３０５＊ｑ４＋１４６１＊ｑ５＋３６５＊ｑ６
＝ｆ（ｍ）＋（７＊ｕ１＋１＊ｕ２）＋（７３０４８５＊ｑ１＋１４６０９７＊ｑ２＋３６５２４＊ｑ３＋７３０５＊ｑ４＋１４６１＊ｑ５＋３６５＊ｑ６）
＝（［３０６（ｍ１＋１）／１０］−４２８）＋ｄ＋（３６５＊ｙ１＋［ｙ１／４］−［ｙ１／１００］＋［ｙ１／４００］）
＝３６５＊ｙ１＋［ｙ１／４］−［ｙ１／１００］＋［ｙ１／４００］＋［３０６（ｍ１＋１）／１０］＋ｄ−４２８
が成り立つ。
（証明終わり）
【００２６】
補題１
ｘを０≦ｘである任意の整数とする。ｑｉ、ｒｉ、ｉ＝１、２、・・・、６を、
ｘ＝２０００＊ｑ１＋ｒ１、０≦ｒ１＜２０００、
ｒ１＝４００＊ｑ２＋ｒ２、０≦ｒ２＜４００、
ｒ２＝１００＊ｑ３＋ｒ３、０≦ｒ３＜１００、
ｒ３＝２０＊ｑ４＋ｒ４、０≦ｒ４＜２０、
ｒ４＝４＊ｑ５＋ｒ５、０≦ｒ５＜４、
ｒ５＝１＊ｑ６＋ｒ６、０≦ｒ６＜１
である整数とする。するとこのとき、
７３０４８５＊ｑ１＋１４６０９７＊ｑ２＋３６５２４＊ｑ３＋７３０５＊ｑ４＋１４６１＊ｑ５＋３６５＊ｑ６＝３６５＊ｘ＋［ｘ／４］−［ｘ／１００］＋［ｘ／４００］
が成り立つ。
【００２７】
証明
ｏｉ、ｐｉ、ｉ＝１、２、３、４を
ｘ＝４００＊ｏ１＋ｐ１、０≦ｐ１＜４００、
ｘ＝１００＊ｏ２＋ｐ２、０≦ｐ２＜１００、
ｘ＝４＊ｏ３＋ｐ３、０≦ｐ３＜４、
ｘ＝１＊ｏ４＋ｐ４、０≦ｐ４＜１
である整数とする。するとこのとき
ｘ＝４００＊ｏ１＋ｐ１
かつ
ｘ＝２０００＊ｑ１＋４００＊ｑ２＋ｒ２
だから、ｐ１ｍｏｄ４００＝ｘ＝ｒ２ｍｏｄ４００である。すると、０≦ｐ１＜４００、０≦ｒ２＜４００なので、よってｐ１＝ｒ２が成り立つ。ゆえに
４００＊ｏ１＝２０００＊ｑ１＋４００＊ｑ２
であり、よって
ｏ１＝５＊ｑ１＋ｑ２
である。さらに、
ｘ＝１００＊ｏ２＋ｐ２
かつ
ｘ＝２０００＊ｑ１＋４００＊ｑ２＋１００＊ｑ３＋ｒ３
だから、ｐ２ｍｏｄ１００＝ｘ＝ｒ３ｍｏｄ１００である。すると、０≦ｐ２＜１００、０≦ｒ３＜１００なので、よってｐ２＝ｒ３が成り立つ。ゆえに
１００＊ｏ２＝２０００＊ｑ１＋４００＊ｑ２＋１００＊ｑ３
であり、よって
ｏ２＝２０＊ｑ１＋４＊ｑ２＋ｑ３
である。また、
ｘ＝４＊ｏ３＋ｐ３
かつ
ｘ＝２０００＊ｑ１＋４００＊ｑ２＋１００＊ｑ３＋２０＊ｑ４＋４＊ｑ５＋ｒ５
だから、ｐ３ｍｏｄ４＝ｘ＝ｒ５ｍｏｄ４である。すると、０≦ｐ３＜４、０≦ｒ５＜４なので、よってｐ３＝ｒ５が成り立つ。ゆえに
４＊ｏ３＝２０００＊ｑ１＋４００＊ｑ２＋１００＊ｑ３＋２０＊ｑ４＋４＊ｑ５
かつ
ｏ３＝５００＊ｑ１＋１００＊ｑ２＋２５＊ｑ３＋５＊ｑ４＋ｑ５
である。そして、
ｘ＝ｏ４
かつ
ｘ＝２０００＊ｑ１＋４００＊ｑ２＋１００＊ｑ３＋２０＊ｑ４＋４＊ｑ５＋１＊ｑ６
だから
ｏ４＝２０００＊ｑ１＋４００＊ｑ２＋１００＊ｑ３＋２０＊ｑ４＋４＊ｑ５＋１＊ｑ６
である。したがって、
３６５＊ｘ＋［ｘ／４］−［ｘ／１００］＋［ｘ／４００］
＝３６５＊ｏ４＋ｏ３−ｏ２＋ｏ１
＝３６５（２０００＊ｑ１＋４００＊ｑ２＋１００＊ｑ３＋２０＊ｑ４＋４＊ｑ５＋１＊ｑ６）＋（５００＊ｑ１＋１００＊ｑ２＋２５＊ｑ３＋５＊ｑ４＋ｑ５）−（２０＊ｑ１＋４＊ｑ２＋ｑ３）＋（５＊ｑ１＋ｑ２）
＝（３６５＊２０００＋５００−２０＋５）ｑ１＋（３６５＊４００＋１００−４＋１）ｑ２＋（３６５＊１００＋２５−１）ｑ３＋（３６５＊２０＋５）ｑ４＋（３６５＊４＋１）ｑ５＋（３６５＊１）ｑ６
＝７３０４８５＊ｑ１＋１４６０９７＊ｑ２＋３６５２４＊ｑ３＋７３０５＊ｑ４＋１４６１＊ｑ５＋３６５＊ｑ６
が成り立つ。
（証明終わり）
【００２８】
（第２実施形態）
本考案の日数計算カードセットについては、上述した日数計算カードセット１から２０００年カード、２０年カード及び７日カードを省略して構成することもできる。以下、２０００年カード、２０年カード、７日カードを省略して構成された本考案の第２実施形態に係る日数計算カードセットについて添付図面を参照して説明する。なお、以下の説明において、第１実施形態の日数計算カードセット１が有するカードと同一のカードについては同一の参照番号を付し、詳細な説明は省略する。
【００２９】
本実施形態の日数計算カードセット１０１は、上述した１２枚（１２種類）の月カード２を備えると共に、複数枚の４００年カード３（４００）と、複数枚の１００年カード３（１００）と、複数枚の４年カード３（４）と、複数枚の１年カード３（１）と、複数枚の１日カード４（１）と、を含み、例えば４００年カード３（４００）の枚数を２４枚、１００年カード３（１００）の枚数を３枚、４年カード３（４）の枚数を２４枚、１年カード３（１）の枚数を３枚、１日カード４の枚数を３１枚とすることができる。
【００３０】
次に、本実施形態の日数計算カードセット１０１を用いた日数計算方法について説明する。
Ｙ年Ｍ月Ｄ日がグレゴリオ暦の日付である場合に、Ｙ年Ｍ月Ｄ日の日数は、以下の手順を実行して計算することができる。ただし、Ｙ、Ｍ、Ｄは１≦Ｙ≦９９９９、１≦Ｍ≦１２、１≦Ｄ≦３１である整数とする。また、Ｍ≧３のときＹ１＝Ｙ、Ｍ＜３のときＹ１＝Ｙ−１とする。
Ｓｔｅｐ１．Ｍ月カード２（Ｍ）を置く。
Ｓｔｅｐ２．置かれた全ての年カード３の年数値の合計がＹ１を超えない限り、４００年カード３（４００）を置く。
Ｓｔｅｐ３．置かれた全ての年カード３の年数値の合計がＹ１を超えない限り、１００年カード３（１００）を置く。
Ｓｔｅｐ４．置かれた全ての年カード３の年数値の合計がＹ１を超えない限り、４年カード３（４）を置く。
Ｓｔｅｐ５．置かれた全ての年カード３の年数値の合計がＹ１を超えない限り、１年カード３（１）を置く。
Ｓｔｅｐ６．置かれた全ての日カード４の日数値の合計がＤを超えない限り、１日カード４（１）を置く。
Ｓｔｅｐ７．置かれた全てのカードの裏面に記された数を合計する。
【００３１】
それでは具体的に、例を用いて説明する。
（例１）Ｙ＝９９９９、Ｍ＝１２、Ｄ＝３１（９９９９年１２月３１日）の場合。このとき、Ｙ１＝９９９９であり、上記の手順を実行すると以下のようになる。
Ｓｔｅｐ１．１２月カード２（１２）を置く。
Ｓｔｅｐ２．４００年カード３（４００）を２４枚置く（置かれた全ての年カード３の年数値の合計は９６００）。
Ｓｔｅｐ３．１００年カード３（１００）を３枚置く（置かれた全ての年カード３の年数値の合計は９９００）。
Ｓｔｅｐ４．４年カード３（４）を２４枚置く（置かれた全ての年カード３の年数値の合計は９９９６）。
Ｓｔｅｐ５．１年カード３（１）を３枚置く（置かれた全ての年カード３の年数値の合計は９９９９）。
Ｓｔｅｐ６．１日カード４（１）を３１枚置く（置かれた全ての日カード４の日数値の合計は３１）。
Ｓｔｅｐ７．合計＝−３１＋１４６０９７＊２４＋３６５２４＊３＋１４６１＊２４＋３６５＊３＋１＊３１＝３６５２０５９
【００３２】
（例２）Ｙ＝２０２０、Ｍ＝２、Ｄ＝２０（２０２０年２月２０日）の場合。このとき、Ｙ１＝２０１９であり、上記の手順を実行すると以下のようになる。
Ｓｔｅｐ１．２月カード２（２）を置く。
Ｓｔｅｐ２．４００年カード３（４００）を５枚置く（置かれた全ての年カード３の年数値の合計は２０００）。
Ｓｔｅｐ３．１００年カード３（１００）を０枚置く（置かれた全ての年カード３の年数値の合計は２０００）。
Ｓｔｅｐ４．４年カード３（４）を４枚置く（置かれた全ての年カード３の年数値の合計は２０１６）。
Ｓｔｅｐ５．１年カード３（１）を３枚置く（置かれた全ての年カード３の年数値の合計は２０１９）。
Ｓｔｅｐ６．１日カード４（１）を２０枚置く（置かれた全ての日カード４の日数値の合計は２０）。
Ｓｔｅｐ７．合計＝３１＋１４６０９７＊５＋１４６１＊４＋３６５＊３＋１＊２０＝７３７４７５
【００３３】
ここで、上記の手順により置かれる各種カードの枚数は、次の計算式によっても求めることができる。
Ｙ１＝４００＊ｑ１＋ｒ１、０≦ｒ１＜４００、
ｒ１＝１００＊ｑ２＋ｒ２、０≦ｒ２＜１００、
ｒ２＝４＊ｑ３＋ｒ３、０≦ｒ３＜４、
ｒ３＝１＊ｑ４＋ｒ４、０≦ｒ４＜１
（ただし、ｑ１、ｑ２、ｑ３、ｑ４、及びｒ１、ｒ２、ｒ３、ｒ４は整数）、
Ｄ＝１＊ｕ１＋ｖ１、０≦ｖ１＜１
（ただし、ｕ１、ｖ１は整数）
を満たすｑ１、ｑ２、ｑ３、ｑ４及びｕ１について、ｑ１は４００年カード３（４００）、ｑ２は１００年カード３（１００）、ｑ３は４年カード３（４）、ｑ４は１年カード３（１）の枚数となる。また、ｕ１は１日カード４（１）の枚数となる。
例えば、前記（例１）Ｙ＝９９９９、Ｍ＝１２、Ｄ＝３１（９９９９年１２月３１日）の場合は、Ｙ１＝９９９９であるから、
９９９９＝４００＊２４＋３９９、０≦３９９＜４００、
３９９＝１００＊３＋９９、０≦９９＜１００、
９９＝４＊２４＋３、０≦３＜４、
３＝１＊３＋０、０≦０＜１  
より、ｑ１＝２４、ｑ２＝３、ｑ３＝２４、ｑ４＝３となる。よって、上記手順により４００年カード３（４００）は２４枚、１００年カード３（１００）は３枚、４年カード３（４）は２４枚、１年カード３（１）は３枚置かれることになる。さらに、Ｄ＝３１かつ、
３１＝１＊３１＋０、０≦０＜１
より、ｕ１＝３１であり、手順により１日カード４（１）は３１枚置かれることになる。
【００３４】
また、このようにして求められた各種カードの枚数に基づいて上記Ｓｔｅｐ７で求められる合計は、次の式のＳとなる。
Ｓ＝ｆ（Ｍ）＋１４６０９７＊ｑ１＋３６５２４＊ｑ２＋１４６１＊ｑ３＋３６５＊ｑ４＋１＊ｕ１
ただし、ｆ（Ｍ）＝０（Ｍ＝１のとき）、３１（Ｍ＝２のとき）、−３０６（Ｍ＝３のとき）、−２７５（Ｍ＝４のとき）、−２４５（Ｍ＝５のとき）、−２１４（Ｍ＝６のとき）、−１８４（Ｍ＝７のとき）、−１５３（Ｍ＝８のとき）、−１２２（Ｍ＝９のとき）、−９２（Ｍ＝１０のとき）、−６１（Ｍ＝１１のとき）、−３１（Ｍ＝１２のとき）。
例えば、前記（例１）Ｙ＝９９９９、Ｍ＝１２、Ｄ＝３１（９９９９年１２月３１日）の場合は、
Ｓ＝ｆ（Ｍ）＋１４６０９７＊ｑ１＋３６５２４＊ｑ２＋１４６１＊ｑ３＋３６５＊ｑ４＋１＊ｕ１
＝−３１＋１４６０９７＊２４＋３６５２４＊３＋１４６１＊２４＋３６５＊３＋１＊３１
＝３６５２０５９
より、上記Ｓｔｅｐ７では３６５２０５９が求められる。
【００３５】
考案の第２施形態に係る日数計算カードセット１０１を用いた計算により、所定の日付（グレゴリオ暦１年１月１日から９９９９年１２月３１日まで）に対して、正しい日数を計算できることは証明されており、前記した日数計算に関する主張１および特許文献１に記載されているツェラー公式に関する証明を参考にすれば容易に得られる。証明においては、前記のようにフェアフィールド公式によって得られたＳ１について、Ｓ＝Ｓ１が成り立つことも示されている。
【００３６】
以上、本考案の実施形態に係る日数計算カードセットについて添付の図面を参照して説明したが、本考案はかかる実施形態に限定されず、本考案の範囲を逸脱することなく種々の変形、修正が可能である。
例えば、上記第２実施形態では、上記第１実施形態の日数計算カードセット１から２０００年カード、２０年カード及び７日カードの全てを省略した場合について説明したが、これら２０００年カード、２０年カード及び７日カードのうち、一部のカードのみを省略して構成することもできる。
【符号の説明】
【００３７】
１，１０１    日数計算カードセット
２    月カード
３    年カード
４    日カード
【図１】
0003218505.tif 000003
【図２】
0003218505.tif 000004
【図３】
0003218505.tif 000005
【図４】
0003218505.tif 000006
【図５】
0003218505.tif 000007
【図６】
0003218505.tif 000008
【図７】
0003218505.tif 000009
【図８】
0003218505.tif 000010
【図９】
0003218505.tif 000011
【図１０】
0003218505.tif 000012